(57)【要約】【課題】ノイズ吸収装置の構造を複雑化することなくノイズ吸収装置を安定に支持することが可能な支持装置を提供する。【解決手段】内部にコア３を内装する筒状のケース２を備えるノイズ吸収装置１を支持する支持装置４である。支持装置４は、基板に固定される底板４１と、底板４１に互いに対向して立設された一対の側片４２を備える。一対の側片４２は対向面の間にノイズ吸収装置１を弾性的に挟持するとともに、対向面にはケース２の凹穴部２１１に係合する凹穴係合突部４２５と、ケース２の凹溝部２０５，２０８に係合する凹溝係合突部４２６の少なくとも一方が形成される。凹穴係合突部４２５と凹穴部２１１の係合、または凹溝係合突部４２６と凹溝部２０５，２０８の係合により、ノイズ吸収装置１は筒軸方向の移動及び筒軸回りの移動が規制され、かつ脱落が防止された状態で支持される。【選択図】  図６
2020191314.tif 000002
【特許請求の範囲】
【請求項１】
内部にコアを内装する筒状のケースを備えるノイズ吸収装置を基板に支持させるための支持装置であって、前記基板に固定される底板と、この底板に互いに対向して立設された一対の側片を備え、これら一対の側片は、各側片の対向面の間に前記ノイズ吸収装置を弾性的に挟持するとともに、前記対向面には前記ケースに設けられている凹穴部に係合する凹穴係合突部と、前記ケースに設けられている凹溝部に係合する凹溝係合突部の少なくとも一方が形成されていることを特徴とするノイズ吸収装置の支持装置。
【請求項２】
前記凹穴係合突部が前記凹穴部に係合されたとき、または前記凹溝係合突部が前記凹溝部に係合されたときに、前記ノイズ吸収装置は筒軸方向の移動及び筒軸回りの移動が規制される請求項１に記載のノイズ吸収装置の支持装置。
【請求項３】
前記一対の側片は板厚方向に弾性変形が可能であり、各側片は前記ケースの外周面の形状に対応して中央部が両端部よりも外側に膨らんだ形状とされ、一方の端部において前記底板に連結され、他方の端部は前記ケースの径寸法よりも小さい間隙寸法で対向位置される請求項１叉は２に記載のノイズ吸収装置の支持装置。
【請求項４】
前記ノイズ吸収装置が前記側片の間に支持された状態において、前記側片の他方の端部は前記ケースの外周面の上側領域の一部を覆うように配置される請求項３に記載のノイズ吸収装置の支持装置。
【請求項５】
前記凹穴部は、前記ケース内に前記コアを支持するためのコア支持突起を成形することにより当該ケースの外周面に形成される抜き穴である請求項３叉は４に記載のノイズ吸収装置の支持装置。
【請求項６】
前記凹溝部は、前記ケース内において前記コアを付勢するための弾性支持片を形成することにより当該ケースの外周面に形成される凹溝である請求項３叉は４に記載のノイズ吸収装置の支持装置。
【請求項７】
前記凹溝部は、前記ケースを構成する一対の分割ケースを開閉可能に連結する対をなす連結部位、または当該一対の分割ケースを閉じた状態に係止する対をなす係止部位の少なくとも一方の筒軸方向の間に形成される第１凹溝部である請求項３叉は４に記載のノイズ吸収装置の支持装置。
【請求項８】
前記凹溝部は、前記ケースの一部で構成されて前記コアを支持するコア押圧片の外周面に形成される第２凹溝部である請求項３叉は４に記載のノイズ吸収装置の支持装置。
【請求項９】
内部にコアを内装する筒状のケースを備えるノイズ吸収装置を基板に支持させるための支持装置であって、前記基板に固定される底板と、この底板に互いに対向して立設された一対の側片を備え、これら一対の側片は、各側片の対向面の間に前記ノイズ吸収装置を弾性的に挟持するとともに、前記対向面には前記ケースに設けられている突部に係合する突部係合部と、前記ケースに設けられている突条部に係合する突条係合突部の少なくとも一方が形成されていることを特徴とするノイズ吸収装置の支持装置。
【発明の詳細な説明】
【技術分野】
【０００１】
本発明は電子機器の電線（ケーブル）に流れる雑音電流（ノイズ）を吸収するノイズ吸収装置に関し、特にノイズ吸収装置を基板（シャーシやパネル、その他の部材を含む）に支持するための支持装置に関する。
【背景技術】
【０００２】
ケーブルに流れるノイズを吸収するノイズ吸収装置として、円筒状のフェライトコアや、半円筒状のフェライトコアをプラスチック製のケースに保持し、電線をその両側からケースごとフェライトコアで挟んで円筒状に構成するものが提案されている。また、この種のノイズ吸収装置をシャーシやパネル等の基板に支持するための支持装置も提案されている。
例えば、特許文献１のように、基板に固定台をネジや両面テープ等で取り付けておき、ノイズ吸収装置のケースをこの固定台に係合させることによって当該固定台を介してノイズ吸収装置を基板に支持する構成のものが提案されている。
【先行技術文献】
【特許文献】
【０００３】
【特許文献１】特開平１０−２５６７７３号公報
【発明の概要】
【発明が解決しようとする課題】
【０００４】
特許文献１のノイズ吸収装置は、ノイズ吸収装置を基板に安定に支持する上では有効であるが、ノイズ吸収装置と固定台のそれぞれに両者を係合させるための係合部を設ける必要があり、固定台やノイズ吸収装置を小型に形成する上での障害になる。また、係合部を形成することにより固定台やノイズ吸収装置の構造が複雑になり、これらを製造するための成形用の金型も複雑なものになる。さらに、固定台をネジや両面テープで基板に固定するため、基板に対する取り付け、取り外しの作業が面倒なものになり、リユースの容易性が要求されている近年の電子部品への適用が難しい。
【０００５】
本発明の目的は、ノイズ吸収装置の構造を複雑化することなくノイズ吸収装置を安定に支持することが可能な支持装置を提供する。
【課題を解決するための手段】
【０００６】
本発明は、内部にコアを内装する筒状のケースを備えるノイズ吸収装置を基板に支持させるための支持装置であって、基板に固定される底板と、この底板に互いに対向して立設された一対の側片を備える。これら一対の側片は、各側片の対向面の間にノイズ吸収装置を弾性的に挟持するとともに、対向面にはケースに設けられている凹穴部に係合する凹穴係合突部と、ケースに設けられている凹溝部に係合する凹溝係合突部の少なくとも一方が形成されている。
【０００７】
本発明において、凹穴係合突部が凹穴部に係合されたとき、または凹溝係合突部が凹溝部に係合されたときに、ノイズ吸収装置は筒軸方向の移動及び筒軸回りの移動が規制される構成とされる。本発明では、凹穴部、凹溝をそれぞれ突部、突条とし、凹穴係合突部、凹溝係合突部をそれぞれ突部係合部、突条係合部としてもよい。
【発明の効果】
【０００８】
本発明によれば、支持装置は底板と一対の側片で構成されており、側片の対向面の間にノイズ吸収装置を弾性的に挟持することができる。また、側片に設けた突部をノイズ吸収装置の凹部に係合することにより、ノイズ吸収装置を安定に支持することができる。あるいはこれとは凹凸が逆の構成としても同等の作用効果が得られる。
【図面の簡単な説明】
【０００９】
【図１】本発明のノイズ吸収装置とその支持装置の外観斜視図。
【図２】ノイズ吸収装置の分解斜視図。
【図３】ノイズ吸収装置のケースの外周面を示す斜視図。
【図４】図２における筒軸方向の中央位置で切断したノイズ吸収装置の断面図。
【図５】支持装置の正面図。
【図６】支持装置にノイズ吸収装置を支持した状態の外観斜視図とそのａ−ａ線に沿った断面図。
【図７】支持装置にノイズ吸収装置を異なる形態で支持した状態の外観斜視図とそのｂ−ｂ線に沿った断面図。
【図８】支持装置の変形例の外観斜視図。
【図９】変形例の支持装置にノイズ吸収装置を支持した状態の正面図。
【図１０】本発明の異なる形態のノイズ吸収装置とその支持装置の外観斜視図。
【発明を実施するための形態】
【００１０】
次に本発明の実施形態を説明する。図１は本発明のノイズ吸収装置１とその支持装置４の外観斜視図であり、図２はその分解斜視図である。ノイズ吸収装置１は、閉じたときに略円筒容器状に構成される樹脂製のケース２と、このケース２に内装されるフェライトコア（以下、コアと略称する）３とで構成されている。コア３は円筒型のコアを筒径方向に２分割した半円筒状の一対の分割コア３Ａ，３Ｂで構成されている。各分割コア３Ａ，３Ｂは外周面の周方向の両端近傍部位にそれぞれ径方向に凹設され、筒軸方向に延びる対をなすコア支持溝３０１が形成されている。
【００１１】
前記ケース２は前記各分割コア３Ａ，３Ｂをそれぞれ収容可能な一対の分割ケース２Ａ，２Ｂを備えている。図３はケース３の外周面を示す斜視図であり、図４は図２の筒軸方向の中央位置において切断した断面図である。図１〜図４を参照すると、各分割ケース２Ａ，２Ｂは筒軸を含む平面で筒径方向に二分した半円筒容器状とされ、それぞれの筒軸方向の両端壁にはケーブルを挿通させるための半円状の切欠き２０１を有している。これら分割ケース２Ａ，２Ｂは互いに対向する側縁部に筒軸方向に所要の間隔をおいて設けた２つの連結部、ここでは可撓性のある連結片２０２によって互いに連結されている。
【００１２】
前記一対の分割ケース２Ａ，２Ｂのうち一方の分割ケース（図２の左側の第１分割ケース）２Ａの左側縁部、すなわち前記連結片２０２が形成されていない側の側縁部には筒軸方向に所要間隔おいた２箇所に係合突部２０３が設けられている。また、他方の分割ケース（図２の右側の第２分割ケース）２Ｂの右側縁部には前記各係合突部２０３に係合する２つの係合枠部２０４が設けられている。
【００１３】
前記両分割ケース２Ａ，２Ｂは、図１のように、連結片２０２を屈曲して両者を閉じた状態にしたときには、係合突部２０３と係合枠部２０４が係合され、両分割ケース２Ａ，２Ｂの各側縁部が当接されることにより、外形が略八角筒容器状をしたケース２が構成される。このケース２は外周面のうち径方向に対向する２つの周面領域にそれぞれ外面がほぼ平坦に凹んだ第１凹溝部２０５が形成される。この第１凹溝部の一方は２つの係合突部と係合枠部２０４の筒軸方向の間に形成され、他方は２つの連結片２０２の筒軸方向の間に形成される。
【００１４】
前記第１及び第２の各分割ケース２Ａ，２Ｂはそれぞれの底面に、筒径方向の内方に向けて弾性力を発揮するようにしたコア押圧片２０６が形成されている。すなわち、図３のように、各分割ケース２Ａ，２Ｂの周面に、筒軸方向に所要の間隔を持って周方向に伸びる一対のスリット２０７が形成されており、このスリット２０７間に筒径方向の弾性を有するコア押圧片２０６が形成されている。このコア押圧片２０６の外面は周囲領域よりも径方向にほぼ平坦に凹んでおり、この凹んだ部位がケース２の第２凹溝部２０８として構成されている。この第２凹溝部２０８の筒軸方向の寸法は前記第１凹溝部２０５の筒軸方向の寸法とほぼ同じである。
【００１５】
前記各分割ケース２Ａ，２Ｂの内周面には、その両側縁部、すなわち前記連結片２０２と、前記係合突部２０３又は係合枠部２０４が形成されている側縁部の近傍であって筒軸方向のほぼ中央部位に、内方に向けて突出されたコア支持突起２０９が設けられている。このコア支持突起２０９は、前記ケース２を樹脂成形する際に、金型の一部を各分割ケース２Ａ，２Ｂの外周面側からケース内部に進入させることにより成形される。そのため、各分割ケース２Ａ，２Ｂには、当該金型の抜き穴２１０が形成されている。この抜き穴が形成された部位の分割ケース２Ａ，２Ｂの外周面は周囲よりも凹んでおり、これにより外周面に凹穴部２１１が形成されている。この凹穴部２１１は各分割ケース２Ａ，２Ｂにそれぞれ２つ形成される。
【００１６】
したがって、両分割ケース２Ａ，２Ｂを閉じてケース２を構成したときには、八角形をした外周面のうち、図１の左右方向に対向する２つの領域に第１凹溝部２０５が形成され、これと直交する上下方向に対向する２つの領域に第２凹溝部２０８が形成される。さらに、これら第１凹溝部２０５と第２溝部２０８の周方向の間となる４つの領域にそれぞれ凹穴部２１１が形成される。
【００１７】
図２に示すように、前記第１分割ケース２Ａには一方の端壁の内面に沿った位置に各一対のケーブル挟持片２１２が設けられている。これらのケーブル挟持片２１２は、基端部２１３が第２分割ケース２Ｂに固定され、径方向の内側に向けられている先端部２１４が筒径方向に弾性変形可能に構成されている。この一対のケーブル挟持片２１２は、図には表れないケーブルがケース２の切欠き２０１に挿通されたときに、各先端部２１４が当該ケーブルを両側から弾性的に挟持してケーブルを抱持する。
【００１８】
前記両分割ケース２Ａ，２Ｂには、それぞれ他方の端壁の前記切欠きを挟む両側に、両分割ケースが閉じられたときに互いに筒軸方向に重畳される半円状をしたガイド片対２１５が一体に形成されている。これらのガイド片対２１５は両分割ケース２Ａ，２Ｂが閉じられる際に、両分割ケース２Ａ，２Ｂの切欠き２０１に挿通されるケーブルを両側から挟むことにより、ケーブルが切欠き２０１から外れることを防止する。また、前記第２分割ケース２Ｂの他方の端壁の外面には、図には表れない結束バンドを挿通させるためのガイド挿通穴部２１６が形成されており、ケース２に挿通されたケーブルを結束してケーブルを強固に抱持する。
【００１９】
一方、図１に示した支持装置４は、弾性のある樹脂あるいは金属で形成されている。図５はその正面図であり、支持装置４は樹脂成形により形成されており、所要の幅寸法及び長さ寸法を有するほぼ矩形をした底板４１と、この底板４１の長さ方向の両端近傍部位からそれぞれ上方に向けて立設された一対の側片４２とを備えている。これら一対の側片４２は板厚方向に対向配置されており、各側片の幅寸法は前記ノイズ吸収装置１の筒軸方向の長さよりも短くされているが、少なくとも前記した第１凹溝部２０５、第２凹溝部２０８、凹穴部２１１の筒軸方向の長さよりも大きな幅寸法とされている。
【００２０】
前記底板４１は前記ノイズ吸収装置を支持する基板（シャーシやパネル、その他の部材を含む）Ｂに対して固定される部位である。固定のための構造として、ここでは底板４１に孔４１１が開口されており、図を省略したネジをこの孔４１１に挿通させて基板に螺合させることにより固定される。あるいは、底板４１の裏面に接着される両面テープで基板Ｂに接着して固定し、あるいは接着剤による固定であってもよい。さらには、後述するリユース構造の固定構造であってもよい。
【００２１】
前記一対の側片４２は、前記ノイズ吸収装置１のケース２の外円周面の形状に対応して、上下方向の両端部よりも上下方向の中央部が互いに外側に膨らむように曲げ形成されている。具体的には、各側片４２は、底板４１に連結されている下端部から上端に向けて互いに離れる方向に斜めに突出された下片部４２１と、この下片部４２１の上端からそれぞれ上方に延ばされた中片部４２２と、この中片部４２２の上端から互いに接近する方向に斜めに延ばされた上片部４２３とを備えている。上片部４２３の上端には互いに離れる方向に曲げられて逆テーパ状をした操作片部４２４が形成されている。この一対の側片４２において、各中片部４２２の対向面の間隔寸法は前記ケース２の径寸法にほぼ等しくされ、各上片部４２３の各上端、すなわち各操作片部４２４の対向間隔寸法は前記ケース２の径寸法よりも小さくされている。
【００２２】
前記一対の側片４２の対向面、すなわち互いに向かいあった側の内面には凹穴係合突部４２５と凹溝係合突部４２６が形成されている。すなわち、各上片部４２３の内面には、内方に向けて三角爪状をした凹穴係合突部４２５が突出形成されている。この凹穴係合突部４２５は、前記ケース２に設けられている前記凹穴部２１１に係合可能な突出寸法及び幅寸法に形成されている。また、各中片部４２２の内面には、内方に向けて矩形台状をした凹溝係合突部４２６が突出形成されている。この凹溝係合突部４２６の幅寸法は、前記ケース２に設けられている第１凹溝部２０５と第２凹溝部２０８の筒軸方向の幅寸法に等しくされている。
【００２３】
このノイズ吸収装置１では、図４に示すように、分割ケース２Ａ，２Ｂにそれぞれ分割コア３Ａ，３Ｂを内挿すると、各分割コア３Ａ，３Ｂのコア支持溝３０１が各分割ケース２Ａ，２Ｂのコア支持突起２０９に係合される。これと同時に各分割コア３Ａ，３Ｂの底面（周面）がコア押圧片２０６に当接され、コア押圧片２０６を外径方向に弾性変形する。各分割コア３Ａ，３Ｂはコア押圧片２０６の弾性復帰力によってケース中心方向に付勢され、この付勢により支持用突起２０９とコア支持溝３０１との係合が保持される。したがって、各分割コア３Ａ，３Ｂはそれぞれ分割ケース２Ａ，２Ｂ内に脱落が防止された状態で支持される。
【００２４】
次いで、連結片２０２を曲げ変形させて第１分割ケース２Ａと第２分割ケース２Ｂを閉じた状態とし、係合突起２０３と係合枠部２０４を係合する。これにより、八角筒状のケース２が組み立てられ、ケーブルを通流するノイズを吸収するイズ吸収装置１が構成される。このとき、挿通されているケーブルは対をなすケーブル挟持片２１２によって抱持され、ノイズ吸収装置１がケーブルの長さ方向に相対移動することが抑止される。
【００２５】
このノイズ吸収装置１は図１に示した基板Ｂに固定された支持装置４により基板Ｂに支持される。図６（ａ）は支持した状態の斜視図、図６（ｂ）はそのａ−ａ線に沿った断面図である。ノイズ吸収装置１を支持装置４の上方から両側片４２の操作片部４２４の対向間隙を通して支持装置４に内挿する。操作片部４２４は逆テーパ状であるので、ノイズ吸収装置１は外周面が両側片４２の対向間隙内に案内される。ノイズ吸収装置１の内挿に伴って両側片４２は外側に弾性変形され、内挿されると両側片４２は内側に弾性復帰される。内挿されたノイズ吸収装置１は外周面の両側から両側片４２によって弾性的に挟持されることになり、この挟持によってノイズ吸収装置１は支持装置４に支持され、基板Ｂに支持されることになる。
【００２６】
ノイズ吸収装置１が両側片４２の間に内挿されたときには、各側片４２の凹穴係合突部４２５はノイズ吸収装置１の凹穴部２１１に係合される。この凹穴係合突部４２５と凹穴部２１１の係合により、ノイズ吸収装置１は筒軸方向及び筒軸回り方向の移動が規制される。また、各側片４２の凹溝係合突部４２６がノイズ吸収装置１の第１凹溝部２０５に係合される。これら凹溝係合部４２６と第１凹溝部２０５はほぼ平坦面に形成されているので、これら平坦面どうしの係合により、ノイズ吸収装置１は筒軸方向及び筒軸回り方向に移動が規制される。したがって、ノイズ吸収装置１が支持装置４から脱落することが防止され、安定な支持が可能になる。
【００２７】
ノイズ吸収装置１のケース２は外形状が八角形をしており、径方向に対向される外周面に第１凹溝部２０５が形成されているが、これと垂直方向に対向される外周面に第１凹溝部２０５と幅寸法が同じ第２凹溝部２０８が形成されている。また、凹穴部２１１は外周面の周方向の４つの互いに直交する領域に形成されている。したがって、ノイズ吸収装置１は周方向に９０度異なる方向で支持装置４に支持されることも可能になる。
【００２８】
図７（ａ）は支持した状態の斜視図、図７（ｂ）はそのｂ−ｂ線に沿った断面図である。ノイズ吸収装置１のケース２の第２凹溝部２０８が左右方向に向けられるように、すなわち図６の状態とは９０度回転した状態で支持装置４に内挿する。内挿されたノイズ吸収装置１は、第２凹溝部２０８が支持装置４の側片４２の凹溝係合突部４２６係合される。この凹溝係合突部４２６と第２凹溝部２０８はほぼ平坦面に形成されているので、ノイズ吸収装置１は筒軸方向及び筒軸回り方向に移動が規制されることになり、支持装置４から脱落することが防止され、安定な支持が可能になる。
【００２９】
この支持の形態においても、各側片４２の凹穴係合突部４２５はノイズ吸収装置１の凹穴部２１１に係合されることは同じである。したがって、この凹穴係合突部４２５と凹穴部２１１の係合により、ノイズ吸収装置１は筒軸方向及び筒軸回り方向に移動が規制され、支持装置４から脱落することが防止され、安定な支持が可能になる。
【００３０】
このように、ノイズ吸収装置１は筒軸を中心とした周方向の４つの回転位置、すなわち図６と図７の形態と、これら形態の上下を反対にした形態の各回転位置において支持装置４に支持させることができる。したがって、ノイズ吸収装置１を支持させる際には、ノイズ吸収装置１の回転方向の姿勢を考慮することなく単に支持装置４に対して内挿すればよい。この場合、ノイズ吸収装置１を内挿しながら４５度程度の角度範囲で適宜に回転させれば、第１凹溝部２０５又は第２凹溝部２０８のいずれかが凹溝係合突部４２６に係合され、同時に凹穴部２１１が凹穴係合突部４２５に係合されるので、ノイズ吸収装置１の支持作業が容易になる。
【００３１】
図６及び図７のいずれの支持形態においても、両側片４２の各上片部４２３はノイズ吸収装置１のケース２の外周面の斜め上側領域に当接される。この当接によりノイズ吸収装置１は両上片部４２３によって底板４１に押圧され、ノイズ吸収装置１やケーブルに外力が加えられたときの上方への脱落防止効果が高められる。また、ノイズ吸収装置１に外力が加えられてケース２の分割ケース２Ａ，２Ｂの一方が他方に対して開かれるような状況が生じても、凹穴係合突部４２５が凹穴部２１１に引っかかるため、ケース２の開放が防止され、ケーブルがノイズ吸収装置１から離脱されることが防止される。
【００３２】
ノイズ吸収装置１を支持装置４から取り外す際には、両側片４２の少なくとも一方の操作部４２４を外側に開くように弾性変形させる。これにより、少なくとも一方の凹穴係合突部４２５と凹穴部２１１の係合が解除され、さらには凹溝係合突部４２６と第１凹溝部２０５又は第２凹溝部２０８の係合が解除され、ノイズ吸収装置１を両側片４２の間から引き出して取り外すことができる。
【００３３】
この支持装置４は、底板４１と一対の側片４２で構成されており、側片４２にはノイズ吸収装置１の凹穴部２１１や凹溝部２０５，２０８に係合する突部４２５，４２６を備えるのみであるので、構成が簡易であり、低コストかつ小型に構成できる。その一方で、ノイズ吸収装置１の筒軸方向及び筒軸回りの位置決めを行い、かつその脱落を防止することができる。
【００３４】
この実施形態では、ノイズ吸収装置１は凹穴部２１１と第１凹溝部２０５と第２凹溝部２０８を備えているが、これらのうちいずれか一つを備えるのみでもよい。例えば、ケース２にはコア３を支持するためのコア支持突起２０９を設けているノイズ吸収装置１は、当該コア支持突起２０９を成形する際に形成される凹穴部２１１を備えることになるので、このノイズ吸収装置１では第１凹溝部２０５や第２凹溝部２０８を省略してもよい。あるいは、コア支持突起２０９を形成しないノイズ吸収装置１では第１凹溝部２０５あるいは第２凹溝部２０８の一方を形成するのみでもよい。このような場合には、支持装置４の側片４２には凹穴係合突部４２５あるいは凹溝係合突部４２６のいずれかを形成すればよい。
【００３５】
本発明の支持装置では、底板４１を基板Ｂに固定する固定構造としてリユース構造を採用してもよい。図８はリユース構造の支持装置４の斜視図であり、図９はノイズ吸収装置１を支持した状態の正面図である。底板４１は一対の側片４２から外側には延長されておらず、底板４１の両側縁からそれぞれ側片４２が立設されている。この底板４１の下面には、その両側縁に一対のスナップ片４１２が突出形成されている。各スナップ片４１２はそれぞれ弾性片部４１３を有しており、基板Ｂに開口された固定穴Ｈに嵌入されたときに、弾性片部４１３に設けられている段部４１４が固定穴Ｈの開口縁に係合されようになっている。
【００３６】
前記弾性片部４１３には側片４２の外側領域にまで延長された解除片部４１５が連結されており、この解除片部４１５を内側に向けて押圧することにより弾性片部４１３を内側に向けて弾性変形させ、段部４１４を固定穴Ｈとの係合から解除させることができる。
【００３７】
この支持装置４では、一対のスナップ片４１２に対応する一対の固定穴Ｈを基板Ｂに開口しておけば、スナップ片４１２を固定穴Ｈに嵌入するだけで基板Ｂに固定することができる。また、一対の解除片部４１５を両側から摘んで内側に押圧することにより各スナップ片４１２における固定穴Ｈとの係合が解除され、支持装置４を基板から取り外すことができる。これにより、リユースに好適な支持装置が構成できる。
【００３８】
本発明の支持装置は前記実施形態に記載の構成に限られるものではない。すなわち、外周面に凹穴部や凹溝部が形成されているケースを備えるノイズ吸収装置であれば、その凹穴部や凹溝部の形状、位置に対応して一対の側片に形成される凹穴係合突部と凹溝係合突部の形状、位置を適宜に設定すればよい。
【００３９】
図１０は異なる形態のノイズ吸収装置１と支持装置４の斜視図である。ここでは、ノイズ吸収装置１は、一対の分割ケース２Ａ，２Ｂによりほぼ八角形をしたケース２の筒軸方向の中央領域の外周面に、周方向の４個所にそれぞれ筒軸方向に対向する一対の突条２２１が形成され、これらの突条２２１で挟まれる領域に凹溝部２２２が形成されている。この凹溝部２２２はケース２を結束バンドで基板に固定するような場合に、当該結束バンドを結束する際のガイドとして利用されるものである。また、この凹溝部２２２を挟む筒軸方向の両側の外周面に、凹穴部２２３が形成されている。この凹穴部２２３は前記実施形態と同様に分割コアを支持するコア支持突起を樹脂成形する際に形成されるものである。
【００４０】
ノイズ吸収装置を支持する支持装置４は、底板４１と一対の側片４２で構成されているが、凹穴係合突部４２５と凹溝係合突部４２６の形状、位置が相違されている。すなわち、両側片４２のうち一方の側片４２についてのみ図示されているが、両側片４２の内面の幅方向の中央に凹溝係合突部４２６が形成されている。ここでは、各側片４２についてそれぞれ３つの凹溝係合突部４２６が形成されている。また、各側片４２の凹穴係合突部４２５はそれぞれ凹溝係合突部４２６に対して幅方向の反対側に形成されている。さらに、この形態では、各側片４２の内面には、凹溝係合突部４２６に対して凹穴係合突部４２５と幅方向の反対側に補助凹溝係合突部４２７が形成されている。
【００４１】
ノイズ吸収装置１を支持装置４に内挿して支持したときに、凹穴係合突部４２５と凹溝係合突部４２６がそれぞれノイズ吸収装置１の凹穴部２２３と凹溝部２２２に係合して位置決めを行い、かつノイズ吸収装置１の脱落を防止することができる。また、補助凹溝係合突部４２７は凹溝部２２２の両側の突条２２１に対して筒軸方向に当接し、ノイズ吸収装置１の筒軸方向の位置決めと脱落を防止することも可能になる。
【００４２】
このように本発明の支持装置は、既存のノイズ吸収装置に形成されている凹溝部や凹穴部に係合される凹溝係合突部や凹穴係合突部を備えることにより、種々の構成のノイズ吸収装置を安定に支持することが可能になる。
【００４３】
本発明にかかるノイズ吸収装置のケースの外周面形状は、実施形態に記載の八角形に限られず、これ以外の多角形であってもよい。あるいは、外周面の形状が円形若しくはこれに近い形状であってもよい。支持装置の一対の側片は、ケースの外周面形状に対応して適宜に曲げ形成されてもよい。
【００４４】
実施形態では、ノイズ吸収装置に凹穴部、凹溝部が形成され、支持装置の側片に凹穴係合部、凹溝係合部が形成された構成を示したが、この構成とは逆に、ノイズ吸収装置に突部、突条部が形成され、支持装置の側片に突部係合部、突条係合部が形成された構成であってもよい。
【符号の説明】
【００４５】
１  ノイズ吸収装置
２  ケース
２Ａ，２Ｂ  分割ケース
３  コア
３Ａ，３Ｂ  分割コア
４  支持装置
４１  底板
４２  側片
２０２  連結片
２０３  係合突部
２０４  係合枠部
２０５  第１凹溝部
２０６  コア押圧片
２０８  第２凹溝部
２１１  凹穴部
４２５  凹穴係合突部
４２６  凹溝係合突部
【図１】
2020191314.tif 000003
【図２】
2020191314.tif 000004
【図３】
2020191314.tif 000005
【図４】
2020191314.tif 000006
【図５】
2020191314.tif 000007
【図６】
2020191314.tif 000008
【図７】
2020191314.tif 000009
【図８】
2020191314.tif 000010
【図９】
2020191314.tif 000011
【図１０】
2020191314.tif 000012